(57)【特許請求の範囲】
【請求項１】
器具本体と、
前記器具本体に取り付けられる直管形ランプと、
前記直管形ランプの両端部に電気的および機械的に接続されるソケットと、
前記器具本体の前面において前記直管形ランプの軸線上につまみねじにより取り付けられるカバーと、
器具本体に形成されて雨水を所定方向へ誘導するための溝部と、
前記ソケットを支持し、前記雨水を前記溝部へ誘導するソケット台とを備える照明器具。
【請求項２】
請求項１に記載の照明器具において、
前記ソケット台が、前記器具本体側から前記ソケットへの雨水の進行を防止する雨水阻止部を有する照明器具。
【請求項３】
請求項１または請求項２に記載の照明器具において、
前記ソケット台が、前記器具本体側から前記ソケットへの雨水の進行を防止するために傾斜している照明器具。
【請求項４】
請求項１ないし請求項３のうちのいずれか１項に記載の照明器具において、
前記ソケット台が、両側に立壁を有するとともに、幅が前記溝部に対応している照明器具。
【発明の詳細な説明】
【技術分野】
【０００１】
本発明は、雨水等がかかる屋外に設置される照明器具に関する。
【背景技術】
【０００２】
従来より、光源を覆う枠体の下方を覆って傾斜面を有する底板の壁面側に水抜き部を設けた照明器具が知られている（例えば、特許文献１参照）。
特許文献１に記載の照明器具は、底板に沿って流れてきた水を、水抜き部から枠体の外部に排水できる。
【先行技術文献】
【特許文献】
【０００３】
【特許文献１】特開２００９−１２９７５７号公報（図２、請求項１）
【発明の概要】
【発明が解決しようとする課題】
【０００４】
前述した特許文献１に記載された照明器具は、遮水板やパッキン等の防水部材を必要とせずに防水することにより、部品点数を減少させてコストダウンを図ることができる。
ところで、前述した特許文献１に記載された照明器具と同様に、器具本体に取り付けられる雨水に弱い電子部品の取付面を絞ることにより電子部品の取付面と器具本体の他の面との間に段部を設けて、電子部品の取付面を器具本体の他の面よりも高くして雨水がかからないようにした照明器具が提案されている。
しかし、このような従来の照明器具は、器具本体の取付面上の電子部品に対しては雨水がかからなくできるものの、ランプの口金が接続されるソケットについては雨水がかからなくするための手段を有さない。
従って、このような従来の照明器具は、ソケットに対して雨水がかからないようにできない。
一方、前述した特許文献１に記載された照明器具と同様に、雨水に弱い電子部品が取り付けられている器具本体の上方に水切板を設けた照明器具が提案されている。
しかし、このような従来の照明器具は、器具本体の上方に器具本体とは別構成の水切板を設けている。
従って、このような従来の照明器具は、部品点数が増えてコスト面で不利になる。
【０００５】
本発明は、前述した課題を解決するためになされたものであり、その目的は、部品点数の増加を防止できるとともに内部に浸入した雨水が電子部品およびソケットにかからないようにして品質を向上できる照明器具を提供することにある。
【課題を解決するための手段】
【０００６】
本発明に係る照明器具は、器具本体と、前記器具本体に取り付けられる直管形ランプと、前記直管形ランプの両端部に電気的および機械的に接続されるソケットと、前記器具本体の前面において前記直管形ランプの軸線上につまみねじにより取り付けられるカバーと、器具本体に形成されて雨水を所定方向へ誘導するための溝部と、前記ソケットを支持し、前記雨水を前記溝部へ誘導するソケット台とを備える。
【０００７】
本発明に係る照明器具は、前記ソケット台が、前記器具本体側から前記ソケットへの雨水の進行を防止する雨水阻止部を有する。
【０００８】
本発明に係る照明器具は、前記ソケット台が、前記器具本体側から前記ソケットへの雨水の進行を防止するために傾斜している。
【０００９】
本発明に係る照明器具は、前記ソケット台が、両側に立壁を有するとともに、幅が前記溝部に対応している。
【発明の効果】
【００１０】
本発明に係る照明器具によれば、部品点数の増加を防止できるとともに内部に浸入した雨水が電子部品およびソケットにかからないようにして品質を向上できるという効果を奏する。
【図面の簡単な説明】
【００１１】
【図１】本発明に係る第１実施形態の照明器具の壁面への取付状態の垂直断面図
【図２】本発明に係る第１実施形態の照明器具のカバーを取り外した正面図
【図３】本発明に係る第２実施形態の照明器具のソケット周りの垂直断面図
【図４】本発明に係る第３実施形態の照明器具のソケット周りの垂直断面図
【図５】本発明に係る第４実施形態の照明器具のソケット周りの正面図
【図６】本発明に係る第５実施形態の照明器具のソケット周りの正面図
【発明を実施するための形態】
【００１２】
以下、本発明に係る複数の実施形態の照明器具について図面を参照して説明する。
(第１実施形態)
図１に示すように、本発明に係る第１実施形態の照明器具１０は、器具本体１１と、器具本体１１の中央部に配置された電子部品取付部１２に取り付けられる電子部品である安定器１３およびグロー管１４が装着されたグローソケット１５と、器具本体１１の前面に取り付けられる直管形ランプ１６と、直管形ランプ１６の両端部に有する一対の口金１７に電気的および機械的に接続される一対のソケット１８と、ソケット１８を器具本体１１上に支持する一対のソケット台１９と、一対のソケット台１９に一体に形成されていて器具本体１１の前面においてソケット台１９の外側に設けられた一対のカバーブラケット２０と、カバーブラケット２０にねじ込まれるつまみねじ２１により器具本体１１の前面において直管形ランプ１６の軸線上に取り付けられる乳白色等の樹脂製のカバー２２と、電子部品取付部１２の周囲に配置されてつまみねじ２１を介して浸入してきた雨水を所定方向へ誘導するための溝部２３とを備え、壁面１の上下に長さを有する縦方向取付により壁面１に設置される。
【００１３】
図２に示すように、器具本体１１は、厚みの薄い金属製板部材を用いて長方形に形成されており、電子部品取付部１２に、図２中の上方から下方に向けて、一方のカバーブラケット２０と、一方のソケット１８を取り付けた一方のソケット台１９と、一方の壁面取付用ねじ孔２４と、グロー管１４を装着したグローソケット１５と、安定器１３と、他方の壁面取付用ねじ孔２４と、他方のソケット１８を取り付けた他方のソケット台１９と、他方のカバーブラケット２０とが順次に配置されている。
【００１４】
溝部２３は、器具本体１１における電子部品取付部１２の周囲に、壁面１に向けて所定の深さ寸法および幅寸法を有する。溝部２３は、その上端部において水平に配置される上部溝部２５と、上部溝部２５の両端部に接続された一対の側部溝部２６と、その下端部において一対の側部溝部２６の下端部に接続された下部溝部２７とから、器具本体１１の正面視形状に相似する四角形の無端状に形成されている。
【００１５】
ソケット台１９は、器具本体１１に対して予め定められた距離だけ離れた位置にソケット１８を配置するための本体２８を有し、本体２８の器具本体１１側に器具本体１１にねじ止めされる基部２９を有する。基部２９はカバーブラケット２０の基部を兼用する。本体２８は、器具本体１１の面に対してほぼ直角をなす。ソケット台１９は、本体２８の幅寸法Ｌ１が、溝部２３の側部溝部２６同士の内側の長さ寸法Ｌ２に同等であるとともに、側部溝部２６同士の外側の長さ寸法Ｌ３に同等である。そのため、ソケット台１９は、ソケット１８の上部にひさし状に形成されて溝部２３に対応した位置に配置されている。
【００１６】
図１に戻り、照明器具１０は、壁面１への取り付けにあたり、一方の壁面取付用ねじ孔２４と他方の壁面取付用ねじ孔２４とに挿通されたねじ３０が壁面１にねじ込まれることにより器具本体１１が壁面１の所定の位置に取り付けられる。次に、カバー２２を器具本体１１に被せ、カバー２２に有するねじ孔３１からカバーブラケット２０に有するねじ孔３２につまみねじ２１がねじ込まれることによりカバー２２が器具本体１１の前面に取り付けられる。
【００１７】
次に、照明器具１０の作用について説明する。
壁面１の上下に長さを有するように縦方向取付により屋外の壁面１に設置された照明器具１０に雨水がかかり、その雨水が、万が一に、つまみねじ２１を通じて内部に浸入した場合、雨水は器具本体１１の最上部側においてつまみねじ２１の真下のソケット台１９上に滴下する。照明器具１０にかかった雨水のうち、カバー２２と器具本体１１の最上部との間から内部に浸入してきた雨水は、器具本体１１の最上部から溝部２３の上部溝部２５に流れる。
【００１８】
ソケット台１９上に滴下された雨水は、ソケット台１９上を溝部２３の側部溝部２６へと移動される。そして、雨水は、電子部品取付部１２の外周部において側部溝部２６をつたって下部溝部２７に流れ、下部溝部２７から器具本体１１の下方の外部へ放出される。
【００１９】
一方、カバー２２と器具本体１１の最上部との間から内部に浸入してきた雨水は、器具本体１１の最上部から溝部２３の上部溝部２５に流れ、上部溝部２５から電子部品取付部１２の外周部において側部溝部２６をつたって下部溝部２７に流れ、下部溝部２７から器具本体１１の下方の外部へ放出される。
従って、つまみねじ２１を通じて浸入してきた雨水は、一方のソケット台１９上に滴下した後に、ソケット台１９により溝部２３の側部溝部２６へと誘導されるために、ソケット１８および電子部品取付部１２に取り付けられている安定器１３およびグローソケット１５等の電子部品にかからないように確実に制御される。
また、カバー２２と器具本体１１の最上部との間から内部に浸入してきた雨水は、器具本体１１の最上部から溝部２３の上部溝部２５に流れ、上部溝部２５から電子部品取付部１２の外周部において溝部２３の側部溝部２６をつたって下部溝部２７に流れ、下部溝部２７から器具本体１１の下方の外部へ放出されるために、ソケット１８および電子部品取付部１２に取り付けられている安定器１３およびグローソケット１５等の電子部品にかからないように確実に制御される。
【００２０】
以上、説明したように第１実施形態の照明器具１０によれば、ソケット１８を支持して雨水を溝部２３の側部溝部２６へ誘導するソケット台１９を備えるために、つまみねじ２１を通じて浸入してきた雨水が、一方のソケット台１９上に滴下した後に、ソケット台１９により溝部２３に誘導されて器具本体１１の下方の外部へと誘導されることにより、ソケット１８および電子部品取付部１２に取り付けられている安定器１３およびグローソケット１５等の電子部品に雨水がかからないように確実に制御して品質を向上できる。また、第１実施形態の照明器具１０によれば、従来のものと比べて、器具本体１１とは別構成の水切板を設ける必要がないために、部品点数の増加を防止できる。
【００２１】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２２】
図３に示すように、本発明に係る第２実施形態の照明器具５０は、ソケット台５１に器具本体１１側からソケット１８への雨水の進行を防止するために本体５２から上方に向けて突出されたリブ（雨水阻止部）５３を有する。リブ５３は、本体５２の幅方向の全体の長さを有し、つまみねじ２１の真下の位置よりも器具本体１１の外方にオフセットされて配置されている。
なお、雨水阻止部としては、リブ５３に代えて溝等であってもよい。
【００２３】
照明器具５０は、万が一に、雨水がつまみねじ２１を通じて内部に浸入した場合、雨水は器具本体１１の最上部側においてソケット台５１上に滴下する。つまみねじ２１の真下のソケット台５１上に滴下された雨水は、ソケット台５１の本体５２がリブ５３を有するために、ソケット１８側には流れずに、溝部２３側に向けて積極的に誘導される。そして、溝部２３の側部溝部２６へと移動された雨水は、電子部品取付部１２の外周部において側部溝部２６をつたって下部溝部２７に流れ、下部溝部２７から器具本体１１の下方の外部へ放出される。
【００２４】
第２実施形態の照明器具５０によれば、ソケット台５１に有するリブ５３により雨水が溝部２３に向けて積極的に誘導されることにより、部品点数の増加を防止できるとともにソケット１８および電子部品取付部１２に取り付けられている安定器１３およびグローソケット１５等の電子部品に雨水がかからないように確実に制御して品質を向上できる。
【００２５】
（第３実施形態）
次に、本発明に係る第３実施形態の照明器具について説明する。
図４に示すように、本発明に係る第３実施形態の照明器具６０は、ソケット台６１の本体６２に、器具本体１１側からソケット１８への雨水の進行を防止するための傾斜面６３を有する。
傾斜面６３は、器具本体１１側から所定の角度で斜め上方に向けて延出されて配置されており、つまみねじ２１の真下の位置から器具本体１１に向けて下坂に形成されている。
【００２６】
照明器具６０は、万が一に、雨水がつまみねじ２１を通じて内部に浸入した場合、雨水は器具本体１１の最上部側においてソケット台６１上に滴下する。つまみねじ２１の真下のソケット台６１上に滴下された雨水は、ソケット台６１の本体６２が器具本体１１に向けて下坂の傾斜面６３を有するために、ソケット１８側には流れずに、溝部２３側に向けて積極的に誘導される。そして、溝部２３の側部溝部２６へと移動された雨水は、電子部品取付部１２の外周部において側部溝部２６をつたって下部溝部２７に流れ、下部溝部２７から器具本体１１の下方の外部へ放出される。
【００２７】
第３実施形態の照明器具６０によれば、ソケット台６１に有する傾斜面６３により雨水が溝部２３に積極的に誘導されることにより、部品点数の増加を防止できるとともにソケット１８および電子部品取付部１２に取り付けられている安定器１３およびグローソケット１５等の電子部品に雨水がかからないように確実に制御して品質を向上できる。
【００２８】
（第４実施形態）
次に、本発明に係る第４実施形態の照明器具について説明する。
図５に示すように、本発明に係る第４実施形態の照明器具７０は、ソケット台７１の本体７２の両端部に上方に向けて立設された一対の立壁７３を有し、一対の立壁７３が形成する幅寸法Ｌ４が、溝部２３の側部溝部２６同士の内側の長さ寸法Ｌ２よりもわずかに大きいとともに、側部溝部２６同士の外側の長さ寸法Ｌ３よりもわずかに小さい。そのため、ソケット台７１は、立壁７３が溝部２３に対応した位置に配置されている。
【００２９】
照明器具７０は、万が一に、雨水がつまみねじ２１を通じて内部に浸入した場合、雨水は器具本体１１の最上部側においてソケット台７１上に滴下する。つまみねじ２１の真下のソケット台７１上に滴下された雨水は、ソケット台７１の本体７２上を溝部２３の側部溝部２６へと移動される。そして、雨水は、電子部品取付部１２の外周部において側部溝部２６をつたって下部溝部２７に流れ、下部溝部２７から器具本体１１の下方の外部へ放出される。このとき、ソケット台７１上に滴下した雨水は、ソケット台７１が両側に立壁７３を有するために、ソケット台７１の本体７２上に滴下した後に本体７２の両側から落下されずに本体７２上に集合されて溝部２３に積極的に誘導される。
【００３０】
第４実施形態の照明器具７０によれば、ソケット台７１上に滴下した雨水が、ソケット台７１が両側に立壁７３を有するために、ソケット台７１の本体７２上に滴下した後に本体７２の両側から落下されずに本体７２上に集合されて溝部２３に積極的に誘導されることにより、部品点数の増加を防止できるとともにソケット１８および電子部品取付部１２に取り付けられている安定器１３およびグローソケット１５等の電子部品に雨水がかからないように確実に制御して品質を向上できる。
【００３１】
（第５実施形態）
次に、本発明に係る第５実施形態の照明器具について説明する。
図６に示すように、本発明に係る第５実施形態の照明器具８０は、溝部８１の上端部に、つまみねじ２１から離れる方向に下方に向けて傾斜する傾斜溝部８２を有する。
照明器具８０は、壁面１の上下に長さを有するように縦方向取付により屋外の壁面１に設置された後に雨水がかかり、その雨水が、万が一に、内部に浸入した場合、雨水は器具本体１１の最上部に滴下する。
器具本体１１の最上部に滴下された雨水は、器具本体１１の最上部の真下に配置されている傾斜溝部８２に向けて進行されていき、傾斜溝部８２から電子部品取付部１２の外周部において側部溝部２６をつたって下部溝部２７に流れ、下部溝部２７から器具本体１１の下方の外部へ放出される。
【００３２】
第５実施形態の照明器具８０によれば、内部に浸入してきた雨水が、傾斜溝部８２によりつまみねじ２１から離れる方向に下方に向けた動的なエネルギーを付与されるために、雨水の進行方向を誘導することにより、部品点数の増加を防止できるとともにソケット１８および電子部品取付部１２に取り付けられている安定器１３およびグローソケット１５等の電子部品に雨水がかからないように確実に制御して品質を向上できる。
【００３３】
なお、本発明の照明器具において安定器，グローソケット，グロー管，直管形ランプ等は、前述した各実施形態に限定されるものでなく、適宜な変形や改良等が可能である。
【符号の説明】
【００３４】
１０，５０，６０，７０，８０  照明器具
１１  器具本体
１６  直管形ランプ
１８  ソケット
１９，５１，６１，７１  ソケット台
２１  つまみねじ
２２  カバー
２３，８１  溝部
５３  リブ（雨水阻止部）
７３  立壁
８２  傾斜溝部
【図１】
0005557329.tif 000002
【図２】
0005557329.tif 000003
【図３】
0005557329.tif 000004
【図４】
0005557329.tif 000005
【図５】
0005557329.tif 000006
【図６】
0005557329.tif 000007